(57)【要約】【課題】  箸ケースの汚れを防ぎ、箸の先端に汚れが付着乾燥して箸洗浄が困難になることを低減し得る箸ケースおよび箸ケース付弁当箱を提供する。【解決手段】  本発明に係る箸ケースおよび箸ケース付弁当箱はケース本体内部に水分を吸収・保持できる保水材からなる保水体を有し、保水体は水分を吸収・保持できる保水性に優れたシート状又はブロックのＰＶＡスポンジ｛ポリビニルアルコール（ｐｏｌｙｖｉｎｙｌ  ａｌｃｏｈｏｌ）を原料とした連続気孔の多孔質体｝を使用する例を示し、ブロックは水を含み、複数の孔を有することを特徴とする。【選択図】図１
2009183663.tif 000002
【特許請求の範囲】
【請求項１】
箸を受けるための箸受け部と、
箸を前記箸受け部に保持するための保持部と、
箸の先端部を被うように設けられる、水分を吸収・保持できる保水材からなる保水体と、
を有することを特徴とする箸ケース。
【請求項２】
開口部を有する有底筒状のケース本体と、
前記開口部に着脱可能な蓋と、
前記ケース本体の底部又は蓋の底部に設けられる、水分を吸収・保持できる保水材からなる保水体と、
を有することを特徴とする箸ケース。
【請求項３】
開口部を両端に有する筒状のケース本体と、
前記両端の各開口部に着脱可能な第１及び第２の蓋と、
前記第１又は第２の蓋の底部に設けられる、水分を吸収・保持できる保水材からなる保水体と、
を有することを特徴とする箸ケース。
【請求項４】
ケース本体と、
前記ケース本体に対してヒンジ部で連結され、開閉可能な蓋と、
前記ケース本体と前記蓋とを閉じた状態に維持するためのストッパー部と、
収納される箸の先端を挟む構造となるように前記ケース本体と前記蓋とに設けられる、水分を吸収・保持できる保水材からなる保水体と、
を有することを特徴とする箸ケース。
【請求項５】
箸を出し入れするための開口部を有する箱体と、
前記開口部に対して平行方向にスライドさせることにより前記開口部が開閉される閉塞面を有する蓋と、
前記箱体に設けられる、水分を吸収・保持できる保水材からなる保水体と、
を有することを特徴とする箸ケース。
【請求項６】
箸を出し入れするための開口部を有する箱体と、
前記箱体の前記開口部を前記箱体に嵌合するように蓋う箱体状の蓋と、
前記箱体に設けられる、水分を吸収・保持できる保水材からなる保水体と、
を有することを特徴とする箸ケース。
【請求項７】
箸ケースを具備した弁当箱と、
前記箸ケース内に設けられる、水分を吸収・保持できる保水材からなる保水体と、
を有することを特徴とする箸ケース付弁当箱。
【発明の詳細な説明】
【技術分野】
【０００１】  本発明は、箸を収納することが可能な箸ケース及び箸ケース付弁当箱に関する。
【背景技術】
【０００２】  従来の箸ケースは、箸ケースにおいては、ケースと、箸が挿入される貫通孔を設けた固定台と、蓋とからなることを特徴とするものがある（例えば、特許文献１参照。）。又、従来の弁当箱としては、中皿上に両側から箸を長さ方向に保持する箸入れ部を設けることを特徴とするものがある（例えば、特許文献２参照。）。【０００３】
【特許文献１】  実用新案登録第３１２９９００号公報
【０００４】
【特許文献２】  特開２００５−８１０５２号公報
【発明の開示】
【発明が解決しようとする課題】
【０００５】  以上に述べた従来の箸ケースはケースと蓋とにより箸収容空間が形成され、固定台に開設された規制用貫通孔に箸が挿通され、これにより、箸が前記収容空間に位置決められ、携帯性が向上すると共に、箸が前記収容空間内にガタガタしなくなり、箸と箸ケースとの接触面積が極めて小さくなり、箸が容易に汚染されなくなり、且つ固定台は、位置決め凸縁でケースの開口に脱着可能に係止され、且つ固定リブでケースの係り溝に脱着可能に係止されるので、固定台の脱着が便利になり、箸ケースの洗浄が便利なものであるが、普通は食事に使用して汚れた状態で箸を収納するため箸の汚れがケース底部に溜まり、ケース洗浄が困難であり、また、洗浄したケースに洗浄した箸を収納しなければ次の食事に箸は使用出来ない。【０００６】  また、前記した従来の弁当箱は弁当箱の構造上、中皿上の空いた空間に、両側から箸を長さ方向に保持する箸入れ部を設けることにより弁当箱と共に長い箸を携行して使用することができるようにしてあるが、普通は食事に使用して汚れた状態で箸を収納するため箸の汚れが弁当箱に付着して弁当箱の隅部の汚れの洗浄が困難であり、また、箸を洗浄して収納しなければ次の食事に箸は使用出来ない。【０００７】  本発明は、このような従来の箸ケース及び箸ケース付弁当箱が有していた問題を解決しようとするものであり、箸ケースの汚れを防ぎ、箸の先端に汚れが付着乾燥して箸洗浄が困難になることを低減し得る箸ケース及び箸ケース付弁当箱を提供することを目的とする。
【課題を解決するための手段】
【０００８】  上記目的を達成するために、本発明に係る箸ケースは箸を受けるための箸受け部と、箸を前記箸受け部に保持するための保持部と、箸の先端部を被うように設けられる、水分を吸収・保持できる保水材からなる保水体と、を有することを特徴とする。【０００９】  また、上記目的を達成するために、本発明に係る箸ケースは開口部を有する有底筒状のケース本体と、前記開口部に着脱可能な蓋と、前記ケース本体の底部又は蓋の底部に設けられる、水分を吸収・保持できる保水材からなる保水体と、を有することを特徴とする。【００１０】  また、上記目的を達成するために、本発明に係る箸ケースは開口部を両端に有する筒状のケース本体と、前記両端の各開口部に着脱可能な第１及び第２の蓋と、前記第１又は第２の蓋の底部に設けられる、水分を吸収・保持できる保水材からなる保水体と、を有することを特徴とする。【００１１】  また、上記目的を達成するために、本発明に係る箸ケースはケース本体と、前記ケース本体に対してヒンジ部で連結され、開閉可能な蓋と、前記ケース本体と前記蓋とを閉じた状態に維持するためのストッパー部と、収納される箸の先端を挟む構造となるように前記ケース本体と前記蓋とに設けられる、水分を吸収・保持できる保水材からなる保水体と、を有することを特徴とする。【００１２】  また、上記目的を達成するために、本発明に係る箸ケースは箸を出し入れするための開口部を有する箱体と、前記開口部に対して平行方向にスライドさせることにより前記開口部が開閉される閉塞面を有する蓋と、前記箱体に設けられる、水分を吸収・保持できる保水材からなる保水体と、を有することを特徴とする。【００１３】  また、上記目的を達成するために、本発明に係る箸ケースは箸を出し入れするための開口部を有する箱体と、前記箱体の前記開口部を前記箱体に嵌合するように蓋う箱体状の蓋と、前記箱体に設けられる、水分を吸収・保持できる保水材からなる保水体と、を有することを特徴とする。【００１４】  さらに、上記目的を達成するために、本発明に係る箸ケース付弁当箱は箸ケースを具備した弁当箱と、前記箸ケース内に設けられる、水分を吸収・保持できる保水材からなる保水体と、を有することを特徴とする。
【発明の効果】
【００１５】  本発明によれば、食事に使用して汚れた状態で箸を箸ケースに収納しても、汚れが箸ケース底部に溜まることが無く、また、箸の先端に汚れが付着乾燥して箸洗浄が困難になることも低減することが可能となる。
【発明を実施するための最良の形態】
【００１６】  以下、本発明の一実施形態を、図１乃至図１２に基づいて説明する。【００１７】  本発明の一実施形態に係る箸ケースの第１の構成例として図１に示すように、箸ケースはケース本体１と、蓋６と、スポンジブロック１０とを有する。ケース本体１には開口部２が設けられ、開口部２の外周面には嵌合面３とストッパー凸部４が設けられている。蓋６にはストッパー凹部５が設けられ、蓋６をケース本体１の嵌合面３に嵌合するように被せてストッパー凸部４とストッパー凹部５により蓋６がケース本体１に係止される。ケース本体１の底部７内に、又は、蓋６の底部８内には前記スポンジブロック１０が設けられる。スポンジブロック１０は少なくとも水分を吸収・保持できる保水性に優れたものである必要があり、例えばＰＶＡスポンジ｛ポリビニルアルコール（ｐｏｌｙｖｉｎｙｌ  ａｌｃｏｈｏｌ）を原料とした連続気孔の多孔質体｝を用いることができるが、いうまでもなくＰＶＡスポンジに限定されるものではない。ここではブロック形状のスポンジを用いる場合を例にとり「スポンジブロック」と称して以下に説明する。スポンジブロック１０は複数の穴９を有しており、十分な水を含んだ状態で前記底部７又は８内に設けられる。
このような状態で穴９に箸の先端を挿入して箸を箸ケース内に固定して収納すると、汚れがケース本体１や蓋６に溜まることが無く、また、箸の先端に汚れが付着乾燥して箸洗浄が困難になることも無くなる。また、スポンジブロック１０が水を含んでいるためにスポンジブロック１０に設けられた複数の穴９の例えば一つに汚れた箸の先端を挿入して擦ることにより箸の汚れが落ちるため、箸を擦って洗浄した後に他の穴９に箸の先端を挿入することで、箸の先端を清潔にした状態で箸を箸ケース内に固定して収納することも可能になる。【００１８】  本発明の一実施形態に係る箸ケースの第２の構成例として図２に示すように箸ケースはケース本体１Ａと、このケース本体１Ａの両端に設けられる２つの蓋６とを有するものであってもよい。ケース本体１Ａの両端には開口部２が設けられ、開口部２の外周面には嵌合面３とストッパー凸部４が設けられている。蓋６にはストッパー凹部５が設けられ、蓋６をケース本体１Ａの嵌合面３に嵌合するように被せてストッパー凸部４とストッパー凹部５により蓋６がケース本体１Ａの両端に係止される。蓋６の底部８内には複数の穴９を有する水を含んだスポンジブロック１０が設けられる。
このような状態で穴９に箸の先端を挿入して箸を箸ケース内に固定して収納すると、汚れが蓋６の底部８に溜まることが無く、また、箸の先端に汚れが付着乾燥して箸洗浄が困難になることも無くなる。また、スポンジブロック１０が水を含んでいるためにスポンジブロック１０に設けられた複数の穴９の例えば一つに汚れた箸の先端を挿入して擦ることにより箸の汚れが落ちるため、箸を擦って洗浄した後に他の穴９に箸の先端を挿入することで、箸の先端を清潔にした状態で箸を箸ケース内に固定して収納することも可能になる。【００１９】  本発明の一実施形態に係る箸ケースの第３の構成例として図３に示すように、箸ケースはケース本体１１と、蓋１２と、これらを連結するヒンジ部１３と、シート状のスポンジ１５、１６とを有するものであってもよい。なお、シート状のスポンジ１５、１６もスポンジブロック１０と同様に水分を吸収・保持できる保水性に優れたものが採用される必要がある。ケース本体１１と蓋１２とはヒンジ部１３を介して開閉出来るようになっている。蓋１２を閉じた場合、ケース本体１１に設けられたストッパー部１４Ａと蓋１２に設けられたストッパー部１４Ｂによりケース本体１１と蓋１２とを閉じた状態に維持できる。ケース本体１１において箸収容時に箸の先端が位置する部分には水を含んだシート状のスポンジ１５が設けられる。同様に蓋１２の前記シート状のスポンジ１５に対応する位置には水を含んだシート状のスポンジ１６が設けられる。これにより箸の先端を挟むようにして箸ケースに箸を収納した場合であっても、箸の先端に汚れが付着乾燥して箸洗浄が困難になることが無くなるようにすることができる。
なお、シート状のスポンジ１５、１６の代わりに、ケース本体１１のみに複数の穴１７を有するスポンジブロック１８を取付けても良い。ケース本体１１のみにスポンジブロック１８を取付けた場合、スポンジブロック１８に予め水を含ませておくことによりスポンジブロック１８に設けられた複数の穴１７の例えば一つに汚れた箸の先端を挿入して擦ることにより箸の汚れが落ちるため、箸を擦って洗浄した後に他の穴１７に箸の先端を挿入することで、箸の先端を清潔にした状態で箸を箸ケース内に固定して収納することも可能になる。【００２０】  本発明の一実施形態に係る箸ケースの第４の構成例として図４に示すように箸ケースは蓋１９と、箱体２０と、スポンジブロック２１とを有するものであってもよい。箱体２０を蓋１９の長手方向に沿って平行にスライドさせることにより開口部２３が蓋１９で開閉される。箱体２０の例えば一端には水を含み複数の穴２２を有するスポンジブロック２１が設けられる。
この状態で穴２２に箸の先端を挿入して箸を箸ケース内に固定して収納すると、汚れが箱体２０に溜まることが無く、また、箸の先端に汚れが付着乾燥して箸洗浄が困難になることも無くなる。また、スポンジブロック２１が水を含んでいるためにスポンジブロック２１に設けられた複数の穴２２の例えば一つに汚れた箸の先端を挿入して擦ることにより箸の汚れが落ちるため、箸を擦って洗浄した後に他の穴２２に箸の先端を挿入することで、箸の先端を清潔にした状態で箸を箸ケース内に固定して収納することも可能になる。【００２１】  本発明の一実施形態に係る箸ケースの第５の構成例として図５に示すように箸ケースは蓋２４と、箱体２５と、スポンジブロック２６とを有するものであってもよい。箱体２５に蓋２４が嵌合するように蓋２４を上部から被せることで箱体２５の開口部２８が閉ざされる。箱体２５の例えば一端部には水を含み複数の穴２７を有するスポンジブロック２６が設けられる。
この状態で穴２７に箸の先端を挿入して箸を箸ケース内に固定して収納すると、汚れが箱体２５に溜まることが無く、また、箸の先端に汚れが付着乾燥して箸洗浄が困難になることも無くなる。また、スポンジブロック２６が水を含んでいるためにスポンジブロック２６に設けられた複数の穴２７の例えば一つに汚れた箸の先端を挿入して擦ることにより箸の汚れが落ちるため、箸を擦って洗浄した後に他の穴２７に箸の先端を挿入することで、箸の先端を清潔にした状態で箸を箸ケース内に固定して収納することも可能になる。【００２２】  本発明の一実施形態に係る箸ケースの第６の構成例として図６に示すように箸ケースは略スリッパ形状をしており、箸受け部３７と、カバー３８と、スポンジブロック３９と、バンド４１とを有するものであってもよい。カバー３８内には水を含み複数の穴４０を有するスポンジブロック３９が設けられる。
この状態で穴４０に箸の先端を挿入してバンド４１で箸を箸受け部３７に固定して収納すると、汚れが箸受け部３７に付くことが無く、また、箸の先端に汚れが付着乾燥して箸洗浄が困難になることも無くなる。また、スポンジブロック３９が水を含んでいるためにスポンジブロック３９に設けられた複数の穴４０の例えば一つに汚れた箸の先端を挿入して擦ることにより箸の汚れが落ちるため、箸を擦って洗浄した後に他の穴４０に箸の先端を挿入することで、箸の先端を清潔にした状態で箸を箸受け部３７に固定して、例えば袋等に収納することも可能になる。【００２３】  本発明の一実施形態に係る箸ケースの第７の構成例として図７に示すように箸ケースは略靴形状をしており、箸受け部４２と、カバー４３と、蓋４６と、スポンジブロック４４、４７とを有するものであってもよい。カバー４３内には水を含み複数の穴４５を有するスポンジブロック４４が設けられる。蓋４６には箸の握り部を挿入する穴４８を有するスポンジブロック４７が設けられる。
この状態で穴４５に箸の先端を挿入し、穴４８に箸の握り部が挿入されるようにして蓋４６を箸受け部４２に被せて箸を固定して収納すると、汚れが箸受け部４２に付くことが無く、また、箸の先端に汚れが付着乾燥して箸洗浄が困難になることも無くなる。また、スポンジブロック４４が水を含んでいるためにスポンジブロック４４に設けられた複数の穴４５の例えば一つに汚れた箸の先端を挿入して擦ることにより箸の汚れが落ちるため、箸を擦って洗浄した後に他の穴４５に箸の先端を挿入することで、箸の先端を清潔にした状態で箸を箸受け部４２に固定して、例えば袋等に収納することも可能になる。【００２４】  本発明の一実施形態に係る箸ケース付弁当箱の構成例として図８及び図９に示すように箸ケース付弁当箱は弁当箱本体２９の弁当箱蓋部３３の一部分を凹部として箸入れ部３６を有し、弁当箱蓋部３３と箸入れ部３６の小蓋３０をヒンジ部３４で連結し、小蓋３０が開閉出来るようになっている。小蓋３０を閉じた場合、ストッパー部３５Ａおよびストッパー部３５Ｂにより弁当箱蓋部３３に小蓋３０を閉じた状態に維持できる。箸入れ部３６には水を含み複数の穴３２を有するスポンジブロック３１が設けられる。
この状態で穴３２に箸の先端を挿入して箸を箸入れ部３６内に固定して収納すると、汚れが箸入れ部３６に溜まることが無く、また、箸の先端に汚れが付着乾燥して箸洗浄が困難になることも無くなる。また、スポンジブロック３１が水を含んでいるためにスポンジブロック３１に設けられた複数の穴３２の例えば一つに汚れた箸の先端を挿入して擦ることにより箸の汚れが落ちるため、箸を擦って洗浄した後に他の穴３２に箸の先端を挿入することで、箸の先端を清潔にした状態で箸を箸ケース内に固定して収納することも可能になる。【００２５】  本発明の一実施形態に係る箸ケース付弁当箱の構成例として図１０及び図１１に示すように箸ケース付弁当箱は弁当箱本体４９に弁当箱蓋部５０を掛止する部分を箸ケースとするために、箸ケース部蓋５４の内側を凹部として箸入れ部５３を有し、弁当箱蓋部５０と箸ケース部蓋５４とをヒンジ部５１で連結し、箸ケース部蓋５４の回転で弁当箱本体４９と弁当箱蓋部５０が開閉出来るようになっている。弁当箱本体４９に弁当箱蓋部５０を被せ、箸ケース部蓋５４を閉じた場合、ストッパー部５５Ａおよびストッパー部５５Ｂにより弁当箱本体４９に弁当箱蓋部５０を閉じた状態に維持できる。箸入れ部５３には水を含み複数の穴５２を有するスポンジブロック５６が設けられる。
この状態で穴５２に箸の先端を挿入して箸を箸入れ部５３内に固定して収納すると、汚れが箸入れ部５３に溜まることが無く、また、箸の先端に汚れが付着乾燥して箸洗浄が困難になることも無くなる。また、スポンジブロック５６が水を含んでいるためにスポンジブロック５６に設けられた複数の穴５２の例えば一つに汚れた箸の先端を挿入して擦ることにより箸の汚れが落ちるため、箸を擦って洗浄した後に他の穴５２に箸の先端を挿入することで、箸の先端を清潔にした状態で箸を箸ケース内に固定して収納することも可能になる。【００２６】  本発明の一実施形態に係る箸ケース付弁当箱の構成例として図１２に示すように箸ケース付弁当箱は掛止縁６１を有する弁当箱本体５７と、中蓋６４の一部分を凹部として箸入れ部６２を有する中蓋６４と、クランクレパー６３を有する弁当箱蓋部６０と、を有するものであってもよい。弁当箱本体５７に弁当箱蓋部６０を被せ、クランクレバー６３を掛止縁６１に掛けることで弁当箱蓋部６０を閉じた状態に維持できる。箸入れ部６２には水を含み複数の穴５９を有するスポンジブロック５８が設けられる。
この状態で穴５９に箸の先端を挿入して箸を箸入れ部６２内に固定して収納すると、汚れが箸入れ部６２に溜まることが無く、また、箸の先端に汚れが付着乾燥して箸洗浄が困難になることも無くなる。また、スポンジブロック５８が水を含んでいるためにスポンジブロック５８に設けられた複数の穴５９の例えば一つに汚れた箸の先端を挿入して擦ることにより箸の汚れが落ちるため、箸を擦って洗浄した後に他の穴５９に箸の先端を挿入することで、箸の先端を清潔にした状態で箸を箸ケース内に固定して収納することも可能になる。【００２７】  以上説明したように本発明によれば、最近のエコブームで外食時に飲食店に備え付けられた割箸を使用しないように箸ケースにマイ箸を収納して持ち歩く場合や従来から見られる学校、会社その他外出先に箸付きで弁当を持っていく場合にも、汚れた状態の箸の先端がシート状のスポンジまたはスポンジブロックで覆われることにより、汚れが箸ケース底部に溜まることが無く、また、箸の先端に汚れが付着乾燥して箸洗浄が困難になることも無くなる。また、水を含ませたシート状のスポンジまたはスポンジブロックで汚れた箸の先端を擦ることにより箸の汚れが落ちるため箸を洗浄すること無く、箸を箸ケースに収納しても、次の食事に箸を使用することが可能となる。
なお、シート状のスポンジやスポンジブロックの代わりにスポンジ状以外のシートやブロック体その他本発明における効果を得られる形態を有する保水体を用いるようにしてもよい。
【図面の簡単な説明】
【００２８】
【図１】  本発明の一実施形態に係る箸ケースの第１の例を示す全体斜視図。
【図２】  本発明の一実施形態に係る箸ケースの第２の例を示す全体斜視図。
【図３】  本発明の一実施形態に係る箸ケースの第３の例を示す全体図。
【図４】  本発明の一実施形態に係る箸ケースの第４の例を示す全体斜視図。
【図５】  本発明の一実施形態に係る箸ケースの第５の例を示す全体斜視図。
【図６】  本発明の一実施形態に係る箸ケースの第６の例を示す全体図。
【図７】  本発明の一実施形態に係る箸ケースの第７の例を示す全体図。
【図８】  本発明の一実施形態に係る箸ケース付弁当箱の例を示す全体図。
【図９】  図８に示される箸ケース付弁当箱のＡ−Ａ断面図。
【図１０】  本発明の一実施形態に係る箸ケース付弁当箱の例を示す全体斜視図。
【図１１】  図１０に示される箸ケース付弁当箱のＡ−Ａ断面図。
【図１２】  本発明の一実施形態に係る箸ケース付弁当箱の例を示す半断面側面図。
【符号の説明】
【００２９】    １  ケース本体、  １Ａ  ケース本体、  ２  開口部、  ３  嵌合面、  ４  ストッパー凸部、  ５  ストッパー凹部、  ６  蓋、  ７  底部、  ８  底部、  ９  穴、  １０  スポンジブロック、  １１  ケース本体、  １２  蓋、  １３  ヒンジ部、  １４Ａ  ストッパー部、  １４Ｂ  ストッパー部、  １５  シート状のスポンジ、  １６  シート状のスポンジ、  １７  穴、  １８  スポンジブロック、  １９  蓋、  ２０  箱体、  ２１  スポンジブロック、  ２２  穴、  ２３  開口部、  ２４  蓋、  ２５  箱体、  ２６  スポンジブロック、  ２７  穴、  ２８  開口部、  ２９  弁当箱本体、  ３０  小蓋、  ３１  スポンジブロック、  ３２  穴、  ３３  弁当箱蓋部、  ３４  ヒンジ部、  ３５Ａ  ストッパー部、  ３５Ｂ  ストッパー部、  ３６  箸入れ部、  ３７  箸受け部、  ３８  カバー、  ３９  スポンジブロック、  ４０  穴、  ４１  バンド、  ４２  箸受け部、  ４３  カバー、  ４４  スポンジブロック、  ４５  穴、  ４６  蓋、  ４７  スポンジブロック、  ４８  穴、  ４９  弁当箱本体、  ５０  弁当箱蓋部、  ５１  ヒンジ部、  ５２  穴、  ５３  箸入れ部、  ５４  箸ケース部蓋、  ５５Ａ  ストッパー部、  ５５Ｂ  ストッパー部、  ５６  スポンジブロック、  ５７  弁当箱本体、  ５８  スポンジブロック、  ５９  穴、  ６０  弁当箱蓋部、  ６１  掛止縁、  ６２  箸入れ部、  ６３  クランクレバー、  ６４  中蓋
【図１】
2009183663.tif 000003
【図２】
2009183663.tif 000004
【図３】
2009183663.tif 000005
【図４】
2009183663.tif 000006
【図５】
2009183663.tif 000007
【図６】
2009183663.tif 000008
【図７】
2009183663.tif 000009
【図８】
2009183663.tif 000010
【図９】
2009183663.tif 000011
【図１０】
2009183663.tif 000012
【図１１】
2009183663.tif 000013
【図１２】
2009183663.tif 000014